【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
マイクロ流路中のクレゾールレッドを含む液体からの光を受光するステップと、
前記受光した光について、３４０ｎｍ以上６４０ｎｍ以下の波長範囲のうち４７０ｎｍの波長を除く少なくとも１点の波長の光の強度を計測するステップと、
前記計測した光強度に基づいて前記マイクロ流路中の液体の温度を算出するステップと、
を含む、マイクロ流路中の液体の温度測定方法。
【請求項２】
前記液体の温度を算出するステップでは、前記計測した光強度から吸光度を算出し、算出した前記吸光度に基づいて前記マイクロ流路中の前記液体の温度を算出する、請求項１に記載のマイクロ流路中の液体の温度測定方法。
【請求項３】
前記少なくとも１つの波長の光の強度を計測するステップでは、３４０ｎｍ以上、４７０ｎｍ未満の波長範囲の２点以上の波長の光強度を計測し、
前記マイクロ流路中の液体の温度を算出するステップでは、３４０ｎｍ以上、４７０ｎｍ未満の波長範囲の前記２点以上の波長の光強度の和又は平均に基づいて前記マイクロ流路中の液体の温度を算出する、請求項１に記載のマイクロ流路中の液体の温度測定方法。
【請求項４】
前記少なくとも１つの波長の光の強度を計測するステップでは、４７０ｎｍを越えて、６４０ｎｍ以下の波長範囲の２点以上の波長の光強度を計測し、
前記マイクロ流路中の液体の温度を算出するステップでは、４７０ｎｍを越えて、６４０ｎｍ以下の波長範囲の前記２点以上の波長の光強度の和又は平均に基づいて前記マイクロ流路中の液体の温度を算出する、請求項１に記載のマイクロ流路中の液体の温度測定方法。
【請求項５】
前記少なくとも１つの波長の光の強度を計測するステップでは、３４０ｎｍ以上、４７０ｎｍ未満の波長範囲の１点の波長の光強度と、４７０ｎｍを越えて、６４０ｎｍ以下の波長範囲の１点の波長の光強度と、を計測し、
前記マイクロ流路中の液体の温度を算出するステップでは、３４０ｎｍ以上、４７０ｎｍ未満の波長範囲の前記１点の波長の光強度と、４７０ｎｍを越えて、６４０ｎｍ以下の波長範囲の前記１点の波長の光強度と、の差に基づいて前記マイクロ流路中の液体の温度を算出する、請求項１に記載のマイクロ流路中の液体の温度測定方法。
【請求項６】
前記マイクロ流路中の液体の温度を算出するステップでは、算出した吸光度に基づく数値について、あらかじめ記憶している吸光度と温度との関係を示す温度基準に基づいて、前記マイクロ流路中の液体の温度を算出する、請求項２に記載のマイクロ流路中の液体の温度測定方法。
【請求項７】
さらに、前記吸光度と温度との関係を示す温度基準について、算出した吸光度に基づく数値と、別途計測した前記マイクロ流路中の液体の温度とに基づいて、前記吸光度と温度との関係を示す温度基準を較正するステップを含む、請求項６に記載のマイクロ流路中の液体の温度測定方法。
【請求項８】
少なくとも１点の波長の光の強度を計測するステップは、前記受光した光について、少なくとも４７０ｎｍ以下の波長範囲の光を透過させない赤色フィルタを透過した光の強度を計測する、請求項１、２、４、６、７のいずれか一項に記載のマイクロ流路中の液体の温度測定方法。
【請求項９】
請求項１に記載のマイクロ流路中の液体の温度測定方法を２回行って、１回目の前記マイクロ流路中の液体の温度と、２回目の前記マイクロ流路中の液体の温度と、を算出し、前記マイクロ流路中の液体の温度変化を検出する、マイクロ流路中の液体の温度変化検出方法。
【請求項１０】
マイクロ流路中のクレゾールレッドを含む液体からの光を受光するステップと、
前記受光した光について、３４０ｎｍ以上６４０ｎｍ以下の波長範囲のうち４７０ｎｍの波長を除く少なくとも１点の波長の光の強度を計測して１回目の光強度を得るステップと、
前記光を受光するステップと、前記少なくとも１点の波長の光の強度を計測するステップとを繰り返して、２回目の光強度を得るステップと、
前記１回目の光強度と、前記２回目の光強度とを対比して、光強度の変化からマイクロ流路中の液体の温度変化を検出するステップと、
を含む、マイクロ流路中の液体の温度変化検出方法。
【請求項１１】
前記マイクロ流路は、クレゾールレッド担持部を備え、
さらに、前記受光するステップの前に、前記クレゾールレッド担持部によって、前記マイクロ流路中の液体に、前記クレゾールレッドを供給するステップを含む、
請求項１に記載のマイクロ流路中の液体の温度測定方法。
【請求項１２】
前記クレゾールレッド担持部は、前記供給するステップにおいて、単位時間当たり一定量の前記クレゾールレッドを供給する、
請求項１１に記載のマイクロ流路中の液体の温度測定方法。
【請求項１３】
前記液体の温度を算出するステップでは、前記計測した光強度から吸光度を算出し、算出した吸光度に基づく数値について、あらかじめ記憶している吸光度と温度との関係を示す温度基準に基づいて、前記マイクロ流路中の液体の温度を算出し、
前記温度基準は、前記クレゾールレッド担持部が供給する前記単位時間当たりの一定量に対応している、
請求項１２に記載のマイクロ流路中の液体の温度測定方法。
【請求項１４】
前記マイクロ流路は、前記液体に溶解性を有する膜で囲まれたクレゾールレッドを有し、
前記供給するステップにおいて、前記マイクロ流路中に、前記液体が供給されることにより、前記膜が溶解することで、前記クレゾールレッドが前記マイクロ流路中の液体に供給される、
請求項１１に記載のマイクロ流路中の液体の温度測定方法。
【請求項１５】
液体を保持するマイクロ流路を有するマイクロ流路チップであって、
少なくとも一つの面が３４０ｎｍ以上６４０ｎｍ以下の波長範囲のうち４７０ｎｍの波長を除く少なくとも１点の波長の光を透過させる材料からなり、加熱又は冷却可能な流路を含むマイクロ流路と、
前記マイクロ流路中の液体に供給するクレゾールレッドを担持したクレゾールレッド担持部と、
を有する、マイクロ流路チップ。
【請求項１６】
前記クレゾールレッド担持部は、前記マイクロ流路を流れる液体へクレゾールレッドを単位時間当たり一定量供給するようにクレゾールレッドが配置されている、請求項１５に記載のマイクロ流路チップ。
【請求項１７】
マイクロ流路中のクレゾールレッドを含む液体からの光を受光する受光部と、
前記受光した光について、３４０ｎｍ以上６４０ｎｍ以下の波長範囲のうち４７０ｎｍの波長を除く少なくとも１点の波長の光の強度を計測する光強度計測部と、
前記計測した光強度に基づいて前記マイクロ流路中の液体の温度を算出する液体温度算出部と、
を含む、マイクロ流路中の液体の温度測定装置。
【請求項１８】
前記液体温度算出部は、前記計測した光強度から吸光度を算出し、算出した前記吸光度に基づいて前記マイクロ流路中の前記液体の温度を算出する、
請求項１７に記載のマイクロ流路中の液体の温度測定装置。
【請求項１９】
前記液体温度算出部は、算出した吸光度について、あらかじめ記憶している吸光度と温度との関係を示す温度基準に基づいて、前記マイクロ流路中の液体の温度を算出する、請求項１８に記載のマイクロ流路中の液体の温度測定装置。
【請求項２０】
前記光強度計測部は、前記受光した光を波長分離する分光器を含む、請求項１７から１９のいずれか一項に記載のマイクロ流路中の液体の温度測定装置。
【請求項２１】
前記光強度計測部は、固体撮像素子を含む、請求項１７に記載のマイクロ流路中の液体の温度測定装置。
【請求項２２】
前記光強度計測部は、前記受光した光について、少なくとも４７０ｎｍ以下の波長範囲の光を透過させない赤色フィルタをさらに含む、請求項２１に記載のマイクロ流路中の液体の温度測定装置。
【請求項２３】
前記温度基準は、前記クレゾールレッド担持部が供給する前記単位時間当たりの一定量に対応している、
請求項１９に記載のマイクロ流路中の液体の温度測定装置。
【請求項２４】
前記マイクロ流路は、前記クレゾールレッド担持部として、前記液体に溶解性を有する膜で囲まれたクレゾールレッドを有し、
前記マイクロ流路中に、前記液体が供給されたとき、前記膜が溶解することで、前記クレゾールレッドが前記マイクロ流路中の液体に供給される、
請求項１９に記載のマイクロ流路中の液体の温度測定装置。
【請求項２５】
クレゾールレッドを含む液体からの光を受光するステップと、
前記受光した光について、３４０ｎｍ以上６４０ｎｍ以下の波長範囲のうち４７０ｎｍの波長の光を除く少なくとも１点の波長の光の強度を計測するステップと、
前記計測した光強度に基づいて前記液体の温度を算出するステップと、
を含む、液体の温度測定方法。
【請求項２６】
前記液体の温度を算出するステップでは、前記計測した光強度から吸光度を算出し、算出した前記吸光度に基づいて前記液体の温度を算出する、
請求項２５に記載の液体の温度測定方法。